(57)【特許請求の範囲】
【請求項１】
チャネル干渉モジュールであって、
ユーザー機器（ＵＥ）から、協調マルチポイント測定セット（ＣｏＭＰ測定セット）の協働ノードに関連付けられる基準信号受信電力情報（ＲＳＲＰ情報）を受信し、前記協働ノードは前記ＣｏＭＰ測定セットのサービングノードと協調して前記ＵＥとの無線通信を促進し、
前記ＵＥから、チャネル品質インジケータ（ＣＱＩ）を受信し、
前記ＲＳＲＰ情報及び前記ＣＱＩに基づいて、調整されたＣＱＩを判定する、チャネル干渉モジュールと、
前記調整されたＣＱＩに基づいて、前記協働ノードまたは前記サービングノードに関連付けられる通信リンクの送信パラメータを適応する、リンク適応モジュールと、を備える、装置。
【請求項２】
前記チャネル干渉モジュールは、
前記ＵＥから、前記サービングノードのセクタのミュートされたリソースの測定信号電力を示す受信信号強度インジケータ（ＲＳＳＩ）を受信し、
前記ＲＳＳＩにさらに基づいて、前記調整されたＣＱＩを判定する、請求項１に記載の装置。
【請求項３】
前記ＣＱＩ及び前記通信リンクは、前記協働ノードに関連付けられる、請求項１または２に記載の装置。
【請求項４】
前記協働ノードは、前記ＣｏＭＰ測定セットの第１の協働ノードであり、前記リンク適応モジュールは、別の調整されたＣＱＩに基づいて、前記ＣｏＭＰ測定セットの第２の協働ノードに関連付けられる通信リンクの送信パラメータをさらに適応する、請求項３に記載の装置。
【請求項５】
前記ＣＱＩ及び前記通信リンクは、前記サービングノードに関連付けられる、請求項１から４のいずれか一項に記載の装置。
【請求項６】
前記チャネル干渉モジュールは、無線リソース管理（ＲＲＭ）メッセージの一部として、前記ＲＳＲＰ情報を受信する、請求項１から５のいずれか一項に記載の装置。
【請求項７】
前記チャネル干渉モジュールは、
ＣｏＭＰ測定セットの複数のノードに対するＲＳＲＰ情報を受信し、
前記複数のノードに対する物理ダウンリンク共有チャネル（ＰＤＳＣＨ）の瞬時負荷を判定し、
受信されたＲＳＲＰ情報及び瞬時負荷に基づいて、前記複数のノードの協働ノード干渉を判定する、請求項１から６のいずれか一項に記載の装置。
【請求項８】
前記チャネル干渉モジュールは、
前記ＰＤＳＣＨにおける総干渉電力を判定し、
判定された総干渉電力及び協働ノード干渉電力に基づいて、補正係数を判定し、
前記ＣＱＩ及び前記補正係数に基づいて、前記調整されたＣＱＩを判定する、請求項７に記載の装置。
【請求項９】
前記複数のノードは、前記サービングノードを除く前記ＣｏＭＰ測定セットの全てのノードを含む、請求項７または８に記載の装置。
【請求項１０】
前記チャネル干渉モジュールは、
前記ＣｏＭＰ測定セットのうちの１又は複数のスケジューラからスケジュール報告を受信し、
スケジュール報告に基づいて、前記瞬時負荷を判定し、
前記１又は複数のスケジューラは、前記複数のノードにそれぞれ配置された複数のスケジューラを備え、前記チャネル干渉モジュールは、
前記複数のノードとの１又は複数のバックホール接続を介して、前記複数のスケジューラからスケジュール報告を受信する、請求項７から９のいずれか一項に記載の装置。
【請求項１１】
前記調整されたＣＱＩは、第１の調整されたＣＱＩであり、前記ＣＱＩは、前記協働ノードに関連付けられる第１のＣＱＩであり、前記チャネル干渉モジュールは、
前記ＵＥから、前記サービングノードに関連付けられる第２のＣＱＩを受信し、
前記ＲＳＲＰ情報及び前記第２のＣＱＩに基づいて、第２の調整されたＣＱＩを判定するようにさらに構成される、請求項１から１０のいずれか一項に記載の装置。
【請求項１２】
前記チャネル干渉モジュールは、補正係数に基づいて、前記第１及び第２の調整されたＣＱＩを判定する、請求項１１に記載の装置。
【請求項１３】
前記サービングノードとして動作する基地局を備える、請求項１から１２のいずれか一項に記載の装置。
【請求項１４】
請求項１３に記載の装置と通信する端末であって、
チャネル測定モジュールであって、
協調マルチポイント測定セット（ＣｏＭＰ測定セット）の協働ノードによって送信されたチャネル状態情報基準信号（ＣＳＩ−ＲＳ）を受信し、
前記ＣＳＩ−ＲＳに基づいて、前記協働ノードに対する基準信号受信電力測定（ＲＳＲＰ測定）を判定する、チャネル測定モジュールと、
無線リソース管理（ＲＲＭ）測定報告の一部として、前記ＲＳＲＰ測定を前記ＣｏＭＰ測定セットのサービングノードにフィードバックする、フィードバックモジュールと、を備え、
前記サービングノードにより、前記ＲＳＲＰ測定を用いて調整されたＣＱＩが判定され、前記調整されたＣＱＩに基づいて前記協働ノードまたは前記サービングノードに関連付けられる通信リンクの送信パラメータが適応され、前記送信パラメータにより通信する、端末。
【請求項１５】
ＣＳＩ−ＲＳは、第１のＣＳＩ−ＲＳであり、前記チャネル測定モジュールは、
前記第１のＣＳＩ−ＲＳに基づいて、第１のチャネル品質インジケータ（ＣＱＩ）を判定し、
前記サービングノードによって送信された第２のＣＳＩ−ＲＳを受信し、前記第２のＣＳＩ−ＲＳに基づいて、第２のＣＱＩを判定する、請求項１４に記載の端末。
【請求項１６】
前記フィードバックモジュールは、前記第１及び第２のＣＱＩを前記サービングノードに前記ＲＳＲＰ測定とは別にフィードバックする、請求項１５に記載の端末。
【請求項１７】
前記ＣＳＩ−ＲＳは、物理ダウンリンク共有チャネル（ＰＤＳＣＨ）のうちの１又は複数のリソース要素上で受信され、
前記協働ノードは、前記ＣｏＭＰ測定の第１のセクタに関連付けられ、
前記第１のセクタ以外の前記ＣｏＭＰ測定セットのセクタは、前記１又は複数のリソース要素に対応するミュートされたリソースを含む、請求項１４から１６のいずれか一項に記載の端末。
【請求項１８】
前記端末は、前記ＣｏＭＰ測定セットの第１のセクタ内に配置され、前記チャネル測定モジュールは、
前記第１のセクタにおいてミュートされる物理ダウンリンク共有チャネル（ＰＤＳＣＨ）の１又は複数のリソース要素における受信信号強度を測定して、受信信号強度インジケータ（ＲＳＳＩ）を判定し、
前記フィードバックモジュールは、前記ＲＳＳＩを前記サービングノードにフィードバックする、請求項１４から１７のいずれか一項に記載の端末。
【請求項１９】
ユーザー機器を備える、請求項１４から１８のいずれか一項に記載の端末。
【請求項２０】
協調マルチポイント測定セット（ＣｏＭＰ測定セット）のうちの１又は複数の協働ノードに関連付けられる協働ノード干渉電力を判定することと、
物理ダウンリンク共有チャネル（ＰＤＳＣＨ）における総干渉電力を判定することと、
前記協働ノード干渉電力及び前記総干渉電力に基づいて、補正係数を判定することと、
前記補正係数及び１又は複数の報告されたＣＱＩに基づいて、１又は複数の調整されたチャネル品質インジケータ（ＣＱＩ）を判定することと、
ユーザー機器から受信された基準信号受信電力報告（ＲＳＲＰ報告）に基づいて、協働ノード干渉電力を判定すること、を含み、
前記協働ノード干渉電力の判定は前記ＰＤＳＣＨの瞬時負荷に基づく、方法。
【請求項２１】
１又は複数のスケジューラからのスケジュール報告に基づいて、前記ＰＤＳＣＨの瞬時負荷を判定すること、をさらに含む、請求項２０に記載の方法。
【請求項２２】
前記１又は複数のＣＱＩは、前記ＣｏＭＰ測定セットのサービングノードに関連付けられる第１のＣＱＩ及び前記ＣｏＭＰ測定セットの協働ノードに関連付けられる第２のＣＱＩを含む、請求項２０または２１に記載の方法。
【請求項２３】
実行されたときに、デバイスに請求項２０から２２のいずれか一項に記載の方法を実施させる命令を有するプログラム。
【請求項２４】
請求項２０から２２のいずれか一項に記載の方法を実施するように構成される、基地局。
【発明の詳細な説明】
【技術分野】
【０００１】
関連出願の相互参照  本出願は、「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題する、２０１１年１１月４日に出願された米国仮特許出願第６１／５５６，１０９号の優先権を主張するものであり、参照によりその開示全体が本明細書に組み込まれる。
【０００２】
本発明の実施形態は、概して、通信分野に関し、より具体的には、協調マルチポイントシステムにおけるリンク適応に関する。
【背景技術】
【０００３】
無線ネットワークにおいて種々の動作パラメータを向上させるために、協調マルチポイント（ＣｏＭＰ）システムが開発されている。ＣｏＭＰシステムは、サービングノードと協働して、ユーザー機器（ＵＥ）との通信を向上させる１又は複数の協調ノードを利用する。ＣｏＭＰシステムのチャネル品質インジケータ（ＣＱＩ）は、ＣｏＭＰ測定セットの外側の干渉を想定したポイントごとの（例えば、チャネル状態情報（ＣＳＩ）−基準信号（ＲＳ）−リソースごとの）ＣＱＩフィードバックと定義される。干渉推定は、これらのシステムにおいて挑戦であり得る。例えば、ＣｏＭＰ測定セットのノードは、異なるＵＥに対して異なり得る。したがって、特定のＣｏＭＰ測定セットの外側の物理ダウンリンク共有チャネル（ＰＤＳＣＨ）における干渉を推定するのは困難であり得る。
【発明の概要】
【０００４】
実施形態は、添付の図面と併せて以下の詳細な説明により容易に理解されるであろう。この説明を容易にするために、同様の参照符号は同様の構成要素を示す。実施形態は、例として説明され、添付の図面の図に限定されるものではない。
【図面の簡単な説明】
【０００５】
【図１】種々の実施形態に従う無線通信ネットワークを模式的に示す。
【図２】種々の実施形態に従う異なるセクタの物理リソースブロックを模式的に示す。
【図３】種々の実施形態に従うリンク適応フィードバックの判定及びフィードバックを説明する流れ図である。
【図４】種々の実施形態に従う基地局のリンク適応動作を説明する流れ図である。
【図５】種々の実施形態に従うシステム例を模式的に示す。
【発明を実施するための形態】
【０００６】
本開示の例示的な実施形態は、無線通信ネットワークの協調マルチポイント測定セット（ＣｏＭＰ測定セット）におけるリンク適応のための方法、システム、及び装置を含むがこれらに限定されない。
【０００７】
例示的な実施形態の種々の態様は、当業者の研究の内容を他の当業者に伝えるために、当業者によって一般的に使用される用語を使って記載される。しかしながら、記載された態様のいくつかのみを用いて、代替の実施形態が実施され得ることが当業者には明らかであろう。説明の目的のために、特定の数、材料、及び構成は、例示的な実施形態の完全な理解を提供するために記述される。しかしながら、特定の詳細なしで代替の実施形態が実施され得ることが当業者には明らかであろう。他の例において、周知の特徴は、例示的な実施形態を不明瞭にしないために、省略されるか、又は簡略化される。
【０００８】
さらに、種々の動作は、例示的な実施形態を理解するために最も有用な様式で、複数の別々の動作として順番に記載されるが、記載の順序は、これらの動作が必ずしも順序に依存することを示唆しているとして解釈されるべきではない。特に、これらの動作は、提示の順序で行われる必要はない。
【０００９】
「いくつかの実施形態において」という語句が繰り返し使用される。「いくつかの実施形態において」という語句は、概して、同一の実施形態を指すものではないが、同一の実施形態を指し得る。「備える」、「有する」、及び「含む」という用語は、文脈が他の意味を示さない限り、それぞれ互いの同意語と見なされる。「Ａ及び／又はＢ」という語句は、（Ａ）、（Ｂ）、又は（Ａ及びＢ）を意味する。「Ａ／Ｂ」という語句は、「Ａ及び／又はＢ」という語句と同様に、（Ａ）、（Ｂ）、又は（Ａ及びＢ）を意味する。「Ａ、Ｂ、及びＣのうちの少なくとも１つ」という語句は、（Ａ）、（Ｂ）、（Ｃ）、（Ａ及びＢ）、（Ａ及びＣ）、（Ｂ及びＣ）、又は（Ａ、Ｂ、及びＣ）を意味する。「（Ａ）Ｂ」という語句は、（Ｂ）又は（Ａ及びＢ）、すなわち、Ａは任意であることを意味する。
【００１０】
本明細書で使用される場合、「モジュール」という用語は、特定用途向け集積回路（ＡＳＩＣ）、電子回路、１又は複数のソフトウェア又はファームウェアプログラムを実行するプロセッサ（共有、専用、又はグループ）及び／又はメモリ（共有、専用、又はグループ）、組合せ論理回路、及び／又は記載された機能性を提供する他の適切なコンポーネントを言い得るか、それらの一部であり得るか、又はそれらを含み得る。
【００１１】
図１は、種々の実施形態に従う無線通信ネットワーク１００を模式的に示す。無線通信ネットワーク１００（以下、「ネットワーク１００」）は、進化型ユニバーサル移動体通信システム（ＵＭＴＳ）地上無線アクセスネットワーク（Ｅ−ＵＴＲＡＮ）などの第三世代パートナーシッププロジェクト（３ＧＰＰ）ロングタームエボリューション（ＬＴＥ）のアクセスネットワークであり得る。ネットワーク１００は、ユーザー機器（ＵＥ）１０８などの携帯端末と無線で通信するように構成される、拡張ノード基地局（ｅＮＢ）１０４などの基地局を含み得る。本発明の実施形態は、ＬＴＥネットワークに関して記載されるが、いくつかの実施形態は、他の種類の無線アクセスネットワークと共に使用され得る。
【００１２】
少なくとも最初は、ｅＮＢ１０４は、ＵＥ１０８と無線接続を確立し得、ＣｏＭＰ測定セット内のサービングノードとして動作し得る。ｅＮＢ１１２及びｅＮＢ１１６などの、ネットワーク１００のうちの１又は複数の追加のｅＮＢもまた、ＣｏＭＰ測定セット内に含まれ得る。ｅＮＢ１１２及びｅＮＢ１１６は、ｅＮＢ１０４との協調を通じて、ＵＥ１０８との無線通信を促進するように構成され得る。１又は複数の追加のｅＮＢは、「協調ノード」と総称され得る。ｅＮＢは、協調ノード及びサービングノードの役割間を移行し得る。
【００１３】
ＣｏＭＰ測定セットは、サービングノード及び１又は複数の協調ノードの動作を協調して、ユーザー機器との通信を促進する任意の種類のシステムであり得る。ＣｏＭＰ測定セットのサービングノード及び協調ノードは、無線接続及び／又は有線接続（例えば、高速ファイババックホール接続）を介して互いに通信し得る。種々の実施形態において、ＣｏＭＰ測定セットは、ジョイント送信（ＪＴ）ＣｏＭＰ、動的ポイント選択（ＤＰＳ）ＣｏＭＰ、及び／又は協調スケジューリング又は協調ビームフォーミング（ＣＳ／ＣＢ）ＣｏＭＰなどのＣｏＭＰスキームを使用し得る。
【００１４】
ｅＮＢは、それぞれ、概して、互いに同一の送信電力能力を有し得るか、又は、代替的に、ｅＮＢのいくつかは、比較的低い送信電力能力を有し得る。例えば、一実施形態において、ｅＮＢ１０４は、マクロｅＮＢなどの比較的高電力の基地局であり得、一方で、ｅＮＢ１１２及びｅＮＢ１１６は、ピコｅＮＢ及び／又はフェムトｅＮＢなどの比較的低い電力の基地局であり得る。
【００１５】
ＵＥ１０８は、図示されるように少なくとも互いに結合される、受信機モジュール１２０、チャネル測定モジュール（ＣＭＭ）１２４、フィードバックモジュール（ＦＭ）１２６、及び送信機モジュール１２８を含み得る。受信機モジュール１２０及び送信機モジュール１２８は、それぞれ、ＵＥ１０８の複数のアンテナ１３２のうちの１又は複数とさらに結合され得る。
【００１６】
ＵＥ１０８は、任意の数の適切なアンテナを含み得る。種々の実施形態において、ＵＥ１０８は、ｅＮＢからＵＥ１０８によって受信される同時空間層又はストリームの数と少なくとも同数のアンテナを含み得るが、本開示の範囲はこの点において限定され得ない。同時空間層又はストリームの数は、送信ランク又は単にランクとも称され得る。
【００１７】
アンテナ１３２のうちの１又は複数は、送信アンテナ又は受信アンテナとして代替的に使用され得る。代替的に、又は追加的に、アンテナ１３２のうちの１又は複数は、専用受信アンテナ又は専用送信アンテナであり得る。
【００１８】
ｅＮＢ１０４は、図示されるように少なくとも互いに結合される、受信機モジュール１３６、チャネル干渉モジュール（ＣＩＭ）１４０、リンク適応モジュール（ＬＡＭ）１４４、及び送信機モジュール１４８を含み得る。受信機モジュール１３６及び送信機モジュール１４８は、それぞれ、ｅＮＢ１０４の複数のアンテナ１５２のうちの１又は複数とさらに結合され得る。ｅＮＢ１０４は、任意の数の適切なアンテナを含み得る。種々の実施形態において、ｅＮＢ１０４は、ＵＥ１０８に送信される同時送信ストリームの数と少なくとも同数のアンテナを含み得るが、本開示の範囲はこの点において限定され得ない。アンテナ１５２のうちの１又は複数は、送信アンテナ又は受信アンテナとして代替的に使用され得る。代替的に、又は追加的に、アンテナ１５２のうちの１又は複数は、専用受信アンテナ又は専用送信アンテナであり得る。
【００１９】
明確に示されていないが、ｅＮＢ１１２及びｅＮＢ１１６は、ｅＮＢ１０４のものと同様のモジュール／コンポーネントを含み得る。
【００２０】
種々の実施形態において、ＣＭＭ１２４は、受信機モジュール１２０によって受信された信号に基づいて、例えば、信号対雑音プラス干渉比（ＳＮＩＲ）、フェージング相関などのチャネル条件の態様を測定し得る。次いで、ＦＭ１２６は、測定された態様に基づいて、送信機モジュール１２８を介して、チャネル状態情報（ＣＳＩ）をサービングノードにフィードバックし得る。いくつかの実施形態において、追加的に／代替的に、ＣＳＩが協働ノードのうちの１又は複数にフィードバックされ得る。
【００２１】
チャネル状態情報は、ＵＥ１０８及びサービングノードを通信可能に結合するために使用される通信リンクを適応するために使用され得る、プリコーディング・マトリクス・インジケータ（ＰＭＩ）、ランクインジケータ（ＲＩ）、及び／又はチャネル品質インジケータ（ＣＱＩ）を含み得る。例えば、ＰＭＩは、コードブック内の好ましいプリコーディングマトリクスのインデックスであり得る。好ましいプリコーディングマトリクスは、例えば、ビームフォーミングベクトルを適用することによって、ダウンリンク送信に空間シグネチャを付けるために、ｅＮＢ１０４によって使用され得る１又は複数のプリコーディングベクトルを含み得る。ＲＩは、所望されるランクを示すために使用され得、ＣＱＩは、変調及びコーディングスキーム（ＭＣＳ）を判定するために使用され得る。
【００２２】
ＣＱＩの判定において、ＵＥ１０８が位置するＣｏＭＰ測定セットの外側で発生する干渉を、ＵＥ１０８が判定することが所望され得る。ＵＥ１０８で所望される干渉電力を導出するための１つのアプローチは、以下のように、推定総干渉電力からＣｏＭＰ測定セットの干渉コンポーネントを減算することである。
【数１】
0005845545.tif 000002
（式１）
【数２】
0005845545.tif 000003
は、所望される干渉電力であり、
【数３】
0005845545.tif 000004
は、物理ダウンリンク共有チャネル（ＰＤＳＣＨ）において推定される総干渉電力であり、Ｈｉは、対応するノードからのチャネル状態情報基準信号（ＣＳＩ−ＲＳ）に基づいて、ＵＥ１０８で推定されるＣｏＭＰ測定セットのｉ番目ポイント（又は「ノード」）からのチャネルであり、ｖｉは、干渉推定に対してＵＥ１０８で想定されるビームフォーミングベクトル（又はベクトルのセット）であり、Ｎは、ＣｏＭＰ測定セット内のポイントの数である。
【００２３】
このアプローチの複雑さは、ＵＥ１０８が、実際のビームフォーミングに関する情報を有し得ないこと、さらに重要なことには、ＣｏＭＰセットの協働ノードでＰＤＳＣＨスケジューリング決定に関する情報を有し得ないことである。この場合には、ＣｏＭＰセットの外側の干渉推定は、特に、協働ノードのいくつかが干渉測定時にアクティブでない場合があるバースト性トラフィック条件において、不正確であり得る。
【００２４】
したがって、種々の実施形態は、ＣＱＩ計算及び干渉推定の代替的なスキームを提供して、ＣｏＭＰシステム内の動作を促進する。
【００２５】
実施形態において、ＣＭＭ１２４は、
【数４】
0005845545.tif 000005
を用いてポイントごとＣＱＩ計算を行い得る。
【数５】
0005845545.tif 000006
（式２）
【００２６】
この場合には、ＣＩＭ１４０は、以下のように、ＵＥ１０８によって報告されるＣＱＩを調整して、総干渉電力とＣｏＭＰ測定セットの外側の干渉電力との差を考慮し得る。
【数６】
0005845545.tif 000007
（式３）
【００２７】
パラメータαは、以下の式を用いてネットワーク側でＣＩＭ１４０により計算され得る補正係数である。
【数７】
0005845545.tif 000008
（式４）
【数８】
0005845545.tif 000009
は、サービングノードを除くＣｏＭＰ測定セットのノードによって生成される総干渉であり得る。ここで、
【数９】
0005845545.tif 000010
はまた、協働ノード干渉とも称され得る。一般的な場合には、
【数１０】
0005845545.tif 000011
及び
【数１１】
0005845545.tif 000012
に関する情報は、ネットワーク側で利用可能でない場合があるが、種々の実施形態は、ＣｏＭＰ構成に導入されるＣｏＭＰ  ＲＲＭ測定報告から、それらの近似値を提供する。特に、
【数１２】
0005845545.tif 000013
は、以下のように、ＣｏＭＰ測定セットの基準信号受信電力報告（ＲＳＲＰ報告）ＲＳＲＰｉから近似値を求められ得る。
【数１３】
0005845545.tif 000014
（式５）
ここで、λｉは、瞬時ＰＤＳＣＨ負荷と、ｉ番目ポイントによって送信されたＣＳＩ−ＲＳリソースを用いてＵＥにおいて計算されるＲＳＲＰ報告である
【数１４】
0005845545.tif 000015
と、を考慮する係数である。ＣＩＭ１４０にスケジュール報告が提供されるため、ＣｏＭＰスキームに対してＰＤＳＣＨ負荷情報を利用可能であり得る。例えば、非アクティブポイントの場合、係数λｉを０に設定することができ、一方で、アクティブポイントの場合、係数λｉを１に設定して、ＣｏＭＰ測定セットの総干渉電力へのポイントの寄与を考慮することができる。パラメータλｉの他の整数及び非整数値は、検討されたＵＥのＰＤＳＣＨと相反し得る基準信号の部分負荷及び送信を反映するために使用することができる。パラメータ
【数１５】
0005845545.tif 000016
は、受信信号強度インジケータ報告（ＲＳＳＩ報告）から導出することができ、以下の図に示されるように、ゼロパワーなどのミュートされたＣＳＩ−ＲＳリソースから計算され得る。
【００２８】
図２は、種々の実施形態に従う異なるセクタの物理リソースブロック（ＰＲＢ）を模式的に示す。特に、ＰＲＢ２０４は、セクタ２０８に対応し、ＰＲＢ２１２は、セクタ２１６に対応し、ＰＲＢ２２０は、セクタ２２４に対応する。ＰＲＢは、上部にわたって番号（０〜１３）を付けられた直交周波数分割多重（ＯＦＤＭ）シンボル及び側面を下方に番号（１〜１２）を付けられた副搬送波を用いて示される。単一のＯＦＤＭシンボル及び副搬送波は、リソース要素と称され得る。いくつかの実施形態において、セクタ２０８は、ｅＮＢ１０４に対応し得、セクタ２１６は、ｅＮＢ１１２に対応し得、セクタ２２４は、ｅＮＢ１１６に対応し得る。
【００２９】
ＰＲＢは、ＣＳＩを判定するためにＵＥよって使用され得る、対応するセクタのｅＮＢによって送信された１又は複数のＣＳＩ−ＲＳを含み得る。例えば、ＰＲＢ２０４は、第１及び第７の副搬送波の第９及び第１０のＯＦＤＭシンボル内に配置されるＣＳＩ−ＲＳ２２６を含み得、ＰＲＢ２１２は、第２及び第８の副搬送波の第９及び第１０のＯＦＤＭシンボル内に配置されるＣＳＩ−ＲＳ２２８を含み得、ＰＲＢ２２０は、第３及び第９の副搬送波の第９及び第１０のＯＦＤＭシンボル内に配置されるＣＳＩ−ＲＳ２３２を含み得る。
【００３０】
ＰＲＢは、他のセクタにおいて送信されたＣＳＩ−ＲＳに対応するＰＤＳＣＨミュートされたリソース２３６を有し得る。例えば、ＰＲＢ２０４は、第２、第３、第８、及び第９の副搬送波の第９及び第１０のＯＦＤＭシンボルにおいてＰＤＳＣＨミュートされたリソース２３６を有し得、ＰＲＢ２１２は、第１、第３、第７、及び第９の副搬送波の第９及び第１０のＯＦＤＭシンボルにおいてＰＤＳＣＨミュートされたリソース２３６を有し得る。
【００３１】
ＰＲＢは、ＵＥ１０８などのＵＥが、ＣｏＭＰ測定セット内の干渉を測定することを可能にするために、他のリソースにＰＤＳＣＨミュートされたリソース２３６をさらに含み得る。例えば、ＰＲＢ２０４は、第３及び第９の副搬送波の第５及び第６のＯＦＤＭシンボルにおいてＰＤＳＣＨミュートされたリソース２３６を含み得る。これは、ＵＥ１０８が、対応するリソースにおいて送信している可能性がある、セクタ２１６及び２２４からの干渉を測定することを可能にする。
【００３２】
図３は、いくつかの実施形態に従い、リンク適応フィードバックが判定され、ｅＮＢ１０４などのサービングノードにフィードバックされる、ＣＭＭ１２４などのチャネル測定モジュール及びＦＭ１２６などのフィードバックモジュールによって行われる動作３００を示す流れ図である。動作３００は、ブロック３０４において、ＣｏＭＰ測定セットのノードに対するＲＳＲＰを判定することを含み得る。種々の実施形態において、ＲＳＲＰは、ＣｏＭＰ測定セットの協働ノードから受信されたＣＳＩ−ＲＳの信号電力に基づいて判定され得る。信号電力は、受信ＵＥによって測定され得る。例えば、ＵＥ１０８は、セクタ２１６のＣＳＩ−ＲＳ２２８の受信電力を測定することによって、ｅＮＢ１１２のＲＳＲＰを判定し得、セクタ２２４のＣＳＩ−ＲＳ２３２の受信電力を測定することによって、ｅＮＢ１１６に対するＲＳＲＰを判定し得る。いくつかの実施形態において、ＲＳＲＰは、サービングノード以外のＣｏＭＰ測定セットの各ノードに対して判定され得る。
【００３３】
動作３００は、ブロック３０８において、ＲＳＳＩを判定することをさらに含み得る。種々の実施形態において、ＲＳＳＩは、ＵＥのセクタにおいてミュートされるが、ＣｏＭＰ測定セットの他のセクタのＣＳＩ−ＲＳに対してはミュートされないか、又は使用されないリソースにおける信号電力を測定するＵＥによって判定され得る。例えば、ＵＥ１０８は、第３及び第９の副搬送波の第５及び第６のＯＦＤＭシンボルにおけるＰＤＳＣＨミュートされたリソース２３６における信号電力を測定することによって、ＲＳＳＩを判定し得る。
【００３４】
動作３００は、ブロック３１２において、ＣＱＩを判定することをさらに含み得る。種々の実施形態において、ＣＱＩは、１又は複数のＣＳＩ−ＲＳの信号電力を測定するＵＥによって判定され得る。例えば、ＵＥ１０８は、第１及び第７の副搬送波の第９及び第１０のＯＦＤＭシンボルにおけるＣＳＩ−ＲＳ２２６の信号電力を測定することによって、サービングノードに関連付けられるＣＱＩを判定し得る。ＵＥ１０８は、第２及び第８の副搬送波の第９及び第１０のＯＦＤＭシンボルにおけるＣＳＩ−ＲＳ２２８の信号電力を測定することによって、協働ノードに関連付けられるＣＱＩを判定し得る。ＵＥ１０８は、第３及び第９の副搬送波の第９及び第１０のＯＦＤＭシンボルにおけるＣＳＩ−ＲＳ２３２の信号電力を測定することによって、協働ノードに関連付けられるＣＱＩを判定し得る。
【００３５】
動作３００は、ブロック３１６において、ＣＱＩ、ＲＳＲＰ、及びＲＳＳＩをフィードバックすることをさらに含み得る。ＣＱＩ、ＲＳＲＰ、及びＲＳＳＩは、リンク適応フィードバックと総称され得る。種々の実施形態において、ＲＳＳＩ、ＲＳＲＰ、及びＣＱＩは、異なる時間に、及び／又は異なる間隔でフィードバックされ得る。例えば、ＣＱＩは、ＣＳＩ報告内にフィードバックされ得、一方で、ＲＳＲＰ及び／又はＲＳＳＩは、ＣｏＭＰ  ＲＲＭ測定における定期的な報告又はイベントトリガの報告としてフィードバックされ得る。
【００３６】
ブロック３０４、３０８、及び３１２の判定する動作は、例えば、ＣＭＭ１２４によって行われ得、一方で、ブロック３１６のフィードバック動作は、例えば、ＦＭ１２６によって行われ得る。
【００３７】
図４は、いくつかの実施形態に従い、チャネル干渉が判定され、ｅＮＢ１０４などのサービングノードによって種々のリンクが適応される、ＣＩＭ１４０などのチャネル干渉モジュール及びＬＡＭ１４４などのリンク適応モジュールによる動作４００を示す流れ図である。動作４００は、ブロック４０４において、ＵＥ１０８からＣＱＩ、ＲＳＳＩ、及びＲＳＲＰを受信することをさらに含み得る。上記の通り、ＣＱＩ、ＲＳＳＩ、及びＲＳＲＰは、異なる時間に、及び／又は異なる間隔で受信され得る。
【００３８】
動作４００は、ブロック４０８において、ＣｏＭＰ測定セットのうちの１又は複数のスケジューラからスケジュール報告を受信することをさらに含み得る。スケジュール報告は、ＣｏＭＰ測定セットの種々のノードによるＰＤＳＣＨの負荷に関する情報を含み得る。いくつかの実施形態において、スケジューラは、ＣｏＭＰ測定セットの各ノードに配置され、高速ファイババックホール接続によってサービングノードに送信され得る。他の実施形態において、１又は複数の集中型スケジューラが存在し得る。
【００３９】
動作４００は、ブロック４１２において、調整されたＣＱＩを判定することをさらに含み得る。調整されたＣＱＩは、スケジューラから受信されたスケジュール報告とともに、ＵＥ１０８から受信されたＣＱＩ、ＲＳＳＩ、及びＲＳＲＰに基づき得る。特に、
【数１６】
0005845545.tif 000017
は、ＲＳＳＩ報告に基づいて判定され得、
【数１７】
0005845545.tif 000018
は、（式５）に示されるように、ＲＳＲＰ及び（スケジュール報告からの）ＰＤＳＣＨの瞬時負荷に基づき得る。次いで、
【数１８】
0005845545.tif 000019
及び
【数１９】
0005845545.tif 000020
は、（式４）に示されるように、補正因子αを判定するために使用され得る。次いで、調整されたＣＱＩは、（式３）に示されるように、報告されたＣＱＩ及び補正因子に基づいて判定され得る。
【００４０】
動作４００は、ブロック４１６において、調整されたＣＱＩに基づいて、協働ノード及びサービングノード送信パラメータを判定することをさらに含み得る。いくつかの実施形態において、種々の送信パラメータを判定することは、リンク適応とも称され得る。
【００４１】
動作４００は、ブロック４２０において、ＣｏＭＰ測定セットの種々の協働ノードに協働ノード送信パラメータを分配することを含み得る。
【００４２】
ブロック４０４、４０８、及び４１２の受信及び判定する動作は、ＣＩＭ１４０などのチャネル干渉モジュールによって行われ得、ブロック４１６及び４２０の判定及び分配する動作は、ＬＡＭ１４４などのリンク適応モジュールによって行われ得る。
【００４３】
本明細書に記載されるモジュールは、適切なハードウェア及び／又はソフトウェアを用いてシステム内に実装されて、所望されるように構成され得る。図５は、一実施形態において、１又は複数のプロセッサ５０４、プロセッサ５０４のうちの少なくとも１つと結合されるシステム制御論理５０８、システム制御論理５０８と結合されるシステムメモリ５１２、システム制御論理５０８と結合される不揮発性メモリ（ＮＶＭ）／記憶装置５１６、及びシステム制御論理５０８と結合されるネットワークインターフェース５２０を備える、システム例５００を示す。
【００４４】
プロセッサ５０４は、１又は複数の単一コア又はマルチコアプロセッサを含み得る。プロセッサ５０４は、汎用プロセッサ及び専用プロセッサ（例えば、グラフィックプロセッサ、アプリケーションプロセッサ、ベースバンドプロセッサなど）の任意の組み合わせを含み得る。
【００４５】
システム制御論理５０８は、一実施形態において、プロセッサ５０４のうちの少なくとも１つへの、及び／又はシステム制御論理５０８と通信する任意の適切なデバイスもしくはコンポーネントへの任意の適切なインターフェースを提供するために、任意の適切なインターフェースコントローラを含み得る。
【００４６】
システム制御論理５０８は、一実施形態において、システムメモリ５１２へのインターフェースを提供するために、１又は複数のメモリコントローラを含み得る。システムメモリ５１２は、例えば、システム５００に対するデータ及び／又は命令を読み込み、記憶するために使用され得る。システムメモリ５１２は、一実施形態において、例えば、適切なダイナミック・ランダム・アクセス・メモリ（ＤＲＡＭ）などの任意の適切な揮発性メモリを含み得る。
【００４７】
ＮＶＭ／記憶装置５１６は、例えば、データ及び／又は命令を記憶するために使用される１又は複数の有形の非一時的なコンピュータ可読媒体を含み得る。ＮＶＭ／記憶装置５１６は、例えば、フラッシュメモリなどの任意の適切な不揮発性メモリを含み得、及び／又は、例えば、１又は複数のハード・ディスク・ドライブ（ＨＤＤ）、１又は複数のコンパクトディスク（ＣＤ）ドライブ、及び／又は１又は複数のデジタル多用途ディスク（ＤＶＤ）ドライブなどの任意の適切な不揮発性記憶装置デバイスを含み得る。
【００４８】
ＮＶＭ／記憶装置５１６は、システム５００がインストールされるデバイスの物理的に一部であるか、又はデバイスによってアクセス可能であるが、必ずしもデバイスの一部ではない、記憶装置リソースを含み得る。例えば、ＮＶＭ／記憶装置５１６は、ネットワークインターフェース５２０を介してネットワーク上でアクセスされ得る。
【００４９】
システムメモリ５１２及びＮＶＭ／記憶装置５１６は、それぞれ、特に、論理５２４の一時的及び永続的コピーを含み得る。論理５２４は、プロセッサ５０４のうちの少なくとも１つによって実行されたときに、ＣＭＭ１２４、ＦＭ１２６、ＣＩＭ１４０、及び／又はＬＡＭ１４４などの１又は複数のモジュールを実装するシステム５００に、本明細書に記載される対応する動作を実行させる命令を含み得る。いくつかの実施形態において、論理５２４、あるいはそのハードウェア、ファームウェア、及び／又はソフトウェアコンポーネントは、追加的に／代替的に、システム制御論理５０８、ネットワークインターフェース５２０、及び／又はプロセッサ５０４内に位置し得る。
【００５０】
ネットワークインターフェース５２０は、システム５００が１又は複数のネットワーク上で通信するための、及び／又は任意の他の適切なデバイスと通信するための無線インターフェースを提供するために、トランシーバ５２２を有し得る。トランシーバ５２２は、受信機モジュール１２０及び／又は送信機モジュール１２８を実装し得る。種々の実施形態において、トランシーバ５２２は、システム５００の他のコンポーネントと統合され得る。例えば、トランシーバ５２２は、プロセッサ５０４のプロセッサ、システムメモリ５１２のメモリ、及びＮＶＭ／記憶装置５１６のＮＶＭ／記憶装置を含み得る。ネットワークインターフェース５２０は、任意の適切なハードウェア及び／又はファームウェアを含み得る。ネットワークインターフェース５２０は、マルチ入力、マルチ出力無線インターフェースを提供するために、複数のアンテナを含み得る。ネットワークインターフェース５２０は、一実施形態において、例えば、ネットワークアダプタ、無線ネットワークアダプタ、電話モデム、及び／又は無線モデムを含み得る。
【００５１】
一実施形態において、プロセッサ５０４のうちの少なくとも１つは、システム制御論理５０８のうちの１又は複数のコントローラに対する論理と共にパッケージされ得る。一実施形態において、プロセッサ５０４のうちの少なくとも１つは、システム制御論理５０８の１又は複数のコントローラに対する論理と共にパッケージされて、システム・イン・パッケージ（ＳｉＰ）を形成し得る。一実施形態において、プロセッサ５０４のうちの少なくとも１つは、システム制御論理５０８のうちの１又は複数のコントローラに対する論理と共に、同じダイ上に統合され得る。一実施形態において、プロセッサ５０４のうちの少なくとも１つは、システム制御論理５０８のうちの１又は複数のコントローラに対する論理と共に、同じダイ上に統合されて、システム・オン・チップ（ＳｏＣ）を形成し得る。
【００５２】
システム５００は、入力／出力（Ｉ／Ｏ）デバイス５３２をさらに含み得る。Ｉ／Ｏデバイス５３２は、システム５００とのユーザー相互作用を可能にするように設計されるユーザーインターフェース、システム５００との周辺コンポーネント相互作用を可能にするように設計される周辺コンポーネントインターフェース、及び／又はシステム５００に関連する環境条件及び／又は位置情報を判定するように設計されるセンサを含み得る。
【００５３】
種々の実施形態において、ユーザーインターフェースは、表示装置（例えば、液晶表示装置、タッチスクリーン表示装置など）、スピーカ、マイクロホン、１又は複数のカメラ（例えば、静止カメラ及び／又はビデオカメラ）、フラッシュライト（例えば、発光ダイオードフラッシュ）、ならびにキーボード（例えば、仮想、投影式、又は物理キーボード）を含み得るがこれらに限定されない。
【００５４】
種々の実施形態において、周辺コンポーネントインターフェースは、不揮発性メモリポート、音声ジャック、及び電源供給インターフェースを含み得るがこれらに限定されない。
【００５５】
種々の実施形態において、センサは、ジャイロセンサ、加速度計、近接センサ、周囲光センサ、及び測位ユニットを含み得るがこれらに限定されない。測位ユニットは、ネットワークインターフェース５２０の一部であるか、又はネットワークインターフェース５２０と相互に伝達し合って、全地球測位システム（ＧＰＳ）衛星などの測位ネットワークのコンポーネントと通信し得る。
【００５６】
種々の実施形態において、システム５００は、限定されないが、ラップトップ・コンピューティング・デバイス、タブレット・コンピューティング・デバイス、ネットブック、スマートフォンなどの携帯コンピューティングデバイスであり得る。種々の実施形態において、システム５００は、多少のコンポーネント及び／又は異なるアーキテクチャを有し得る。
【００５７】
いくつかの実施形態において、ＵＥから、ＣｏＭＰ測定セットのサービングノードと協調して、ＵＥとの無線通信を促進する、ＣｏＭＰ測定セットの協働ノードに関連付けられるＲＳＲＰ情報を受信し、ＵＥから、ＣＱＩを受信し、ＲＳＲＰ情報及びＣＱＩに基づいて、調整されたＣＱＩを判定する、チャネル干渉モジュールを含む、ｅＮＢなどの装置が記載される。装置は、調整されたＣＱＩに基づいて、協働ノード又はサービングノードに関連付けられる通信リンクの送信パラメータを適応する、リンク適応モジュールをさらに備え得る。
【００５８】
いくつかの実施形態において、チャネル干渉モジュールは、ＵＥから、サービングノードのセクタのミュートされたリソースの測定信号電力を示す受信信号強度インジケータ（ＲＳＳＩ）を受信し、ＲＳＳＩにさらに基づいて、調整されたＣＱＩを判定し得る。
【００５９】
いくつかの実施形態において、受信されたＣＱＩ及び通信リンクの両方は、協働ノードに関連付けられ得る。協働ノードがＣｏＭＰ測定セットの第１の協働ノードである場合、リンク適応モジュールは、別の調整されたＣＱＩに基づいて、ＣｏＭＰ測定セットの第２の協働ノードに関連付けられる通信リンクの送信パラメータも適応し得る。
【００６０】
いくつかの実施形態において、受信されたＣＱＩ及び通信リンクの両方は、サービングノードに関連付けられ得る。
【００６１】
いくつかの実施形態において、チャネル干渉モジュールは、ＲＲＭメッセージの一部として、ＲＳＲＰ情報を受信し得る。
【００６２】
いくつかの実施形態において、チャネル干渉モジュールは、サービングノードを除くＣｏＭＰ測定セットの全てのノードなどの、ＣｏＭＰ測定セットの複数のノードに対するＲＳＲＰ情報を受信し、複数のノードに対するＰＤＳＣＨの瞬時負荷を判定し、受信されたＲＳＲＰ情報及び瞬時負荷に基づいて、複数のノードの協働ノード干渉を判定し得る。チャネル干渉モジュールは、ＰＤＳＣＨにおける総干渉電力を判定し、判定された総干渉電力及び協働ノード干渉電力に基づいて、補正係数を判定し、ＣＱＩ及び補正係数に基づいて、調整されたＣＱＩを判定する。
【００６３】
いくつかの実施形態において、チャネル干渉モジュールは、ＣｏＭＰ測定セットのうちの１又は複数のスケジューラからスケジュール報告を受信し、スケジュール報告に基づいて、瞬時負荷を判定し得る。１又は複数のスケジューラは、複数のノードにそれぞれ配置され得、チャネル干渉モジュールは、複数のノードとの１又は複数のバックホール接続を介して、複数のスケジューラからスケジュール報告を受信し得る。
【００６４】
いくつかの実施形態において、調整されたＣＱＩは、第１の調整されたＣＱＩであり得、ＣＱＩは、協働ノードに関連付けられる第１のＣＱＩであり得、チャネル干渉モジュールは、ＵＥから、サービングノードに関連付けられる第２のＣＱＩを受信し、かつＲＳＲＰ情報及び第２のＣＱＩに基づいて、第２の調整されたＣＱＩを判定し得る。チャネル干渉モジュールは、補正係数に基づいて、第１及び第２の調整されたＣＱＩを判定し得る。
【００６５】
種々の実施形態において、装置は、サービングノードとして動作する基地局であり得る。
【００６６】
いくつかの実施形態において、ＣｏＭＰ測定セットの協働ノードによって送信されたＣＳＩ−ＲＳを受信し、ＣＳＩ−ＲＳに基づいて、協働ノードに対するＲＳＲＰ測定を判定する、チャネル測定モジュールと、ＲＲＭ測定報告の一部として、ＲＳＲＰ測定をＣｏＭＰ測定セットのサービングノードにフィードバックする、フィードバックモジュールと、を備える、ＵＥなどの装置が記載される。ＣＳＩ−ＲＳは、第１のＣＳＩ−ＲＳであり得、チャネル測定モジュールは、第１のＣＳＩ−ＲＳに基づいて、第１のチャネル品質インジケータ（ＣＱＩ）を判定し得、また、サービングノードによって送信された第２のＣＳＩ−ＲＳを受信し、第２のＣＳＩ−ＲＳに基づいて、第２のＣＱＩを判定し得る。フィードバックモジュールは、第１及び第２のＣＱＩをサービングノードにフィードバックし得る。第１及び第２のＣＱＩは、ＲＳＲＰ測定とは別にフィードバックされ得る。
【００６７】
いくつかの実施形態において、ＣＳＩ−ＲＳは、ＰＤＳＣＨのうちの１又は複数のリソース要素上で受信され得、協働ノードは、ＣｏＭＰ測定の第１のセクタに関連付けられ得、第１のセクタ以外のＣｏＭＰ測定セットのセクタは、１又は複数のリソース要素に対応するミュートされたリソースを含み得る。
【００６８】
いくつかの実施形態において、装置は、ＣｏＭＰ測定セットの第１のセクタ内に配置され得、チャネル測定モジュールは、第１のセクタにおいてミュートされるＰＤＳＣＨのうちの１又は複数のリソース要素における受信信号強度を測定して、ＲＳＳＩを判定し得る。フィードバックモジュールは、ＲＳＳＩをサービングノードにフィードバックし得る。
【００６９】
種々の実施形態において、ＣｏＭＰ測定セットのうちの１又は複数の協働ノードに関連付けられる協働ノード干渉電力を判定することと、ＰＤＳＣＨにおける総干渉電力を判定することと、協働ノード干渉電力及び総干渉電力に基づいて、補正係数を判定することと、補正係数及び１又は複数の報告されたＣＱＩに基づいて、１又は複数の調整されたＣＱＩを判定することと、を含む方法が開示される。
【００７０】
種々の実施形態において、協働ノード干渉電力は、ユーザー機器から受信されたＲＳＲＰ報告に基づき得る。協働ノード干渉電力は、１又は複数のスケジューラからのスケジュール報告に基づき得る、ＰＤＳＣＨの瞬時負荷に基づき得る。
【００７１】
説明の目的のために、本明細書においてある実施形態が例示及び記載されているが、同一の目的を達成するように意図される、広範な種々の代替及び／又は同等の実施形態あるいは実施が、本開示の範囲から逸脱することなく、図示及び記載された実施形態と置き換えられ得る。本出願は、本明細書に記述される実施形態のあらゆる適合及び変形を網羅するよう意図される。したがって、本明細書に記載される実施形態は、特許請求の範囲及びその均等物によってのみ限定されることが明白に意図される。
【図１】
0005845545.tif 000021
【図２】
0005845545.tif 000022
【図３】
0005845545.tif 000023
【図４】
0005845545.tif 000024
【図５】
0005845545.tif 000025